(57)【要約】【課題】排気口から排出される熱を帯びた気流や煤等によって遮音パネルが損傷しないようにする。【解決手段】ガスヒートポンプの室外機１の頂部に配設されたフード２の近傍にはフード２から所定長離間した位置に架台４を介して遮音パネル３が設けられている。  フード２は、排気等の流体の流路を形成するカバー本体２１を備えており、当該カバー本体は騒音を遮音パネル３に集音することができるようなもので構成されている。  遮音パネル３は、音源側にすなわちフード２の吹出口２２と対向する側に吹出口２２の開口面と平行に配設されるアルミニウム不織布から成る金属製吸音材３１と、金属製吸音材３１の背面側に空気層３２を介して金属製吸音材３１と平行に配設される厚さが１.６ｍｍの鉄板から成る背後剛壁層３３とを備えており、これらの金属製吸音材３１および背後剛壁層３３は背後空気層３２を介してパネル枠部材５で一体化されている。【選択図】図１
2008064344.tif 000002
【特許請求の範囲】
【請求項１】
流体の流路を形成するフードと、前記フードの吹出口と対向する位置に前記フードと離間して配置される遮音パネルとを備え、
前記遮音パネルは、音源側に配設される板状の金属製吸音材と、前記金属製吸音材の背面側に空気層を介して前記金属製吸音材と平行に配設される背後剛壁層とを備えることを特徴とする排気装置。
【請求項２】
流体の流路を形成するフードと、前記フードの吹出口と対向する位置に前記フードと離間して配置される遮音パネルとを備え、
前記遮音パネルは、音源側に配設される板状の金属製吸音材と、前記金属製吸音材の背面側に積層される難燃性の多孔質体層と、前記多孔質体層の背面側に積層される背後剛壁層とを備えることを特徴とする排気装置。
【請求項３】
前記多孔質体層は、グラスウール、ロックウールおよびセメント系吸音材の何れかまたはこれらの混合物から成ることを特徴とする請求項２記載の排気装置。
【請求項４】
前記金属製吸音材は、金属繊維の不織布から成ることを特徴とする請求項１乃至請求項３何れか１項記載の排気装置。
【請求項５】
前記金属製吸音材は、アルミニウム不織布から成ることを特徴とする請求項１乃至請求項４何れか１項記載の排気装置。
【請求項６】
前記金属製吸音材および前記背後剛壁層は、パネル枠部材で一体化されていることを特徴とする特徴とする請求項１、請求項３乃至請求項５何れか１項記載の排気装置。
【請求項７】
前記金属製吸音材、前記多孔質体層および前記背後剛壁層は、パネル枠部材で一体化されていることを特徴とする特徴とする請求項２乃至請求項５何れか１項記載の排気装置。
【発明の詳細な説明】
【技術分野】
【０００１】
本発明は、排気装置に係り、特に、エアーコンディショナー（以下「エアコン」という。）等から発生する騒音を吸収する遮音パネルを備えた排気装置に関する。
【背景技術】
【０００２】
一般に、建物に設置されるエアコンにおいては、エアコンのコンプレッサーから発生する騒音や建物等の外壁面等に取り付けられたフードの吹出口から吐出される流体の風切り音の低減化が望まれている。
【０００３】
従来、この種の騒音低減手段としては、フードの内面側にグラスウール等の吸音材を貼り付けて成るものが知られている（例えば、特許文献１参照）。
【０００４】
しかしながら、このような騒音低減機能を有する排気装置においては、動力源の燃焼によって発生する熱や煤等がフード内に流れるため、吸音材を構成するグラスウール等が損傷し、若しくは燃焼する虞があった。また、フードの内面に吸音材を貼り付けた構成の排気装置では、吸音材が経年劣化した場合、これを容易に交換することができないという難点があった。
【０００５】
【特許文献１】特開平６−２９１２号公報
【発明の開示】
【発明が解決しようとする課題】
【０００６】
本発明は、フード内に排出される熱を帯びた気流や煤等によって遮音パネルが損傷し、若しくは燃焼する虞がなく、また経年劣化した遮音パネルの交換を簡単に行なうことができる排気装置を提供することを目的としている。
【課題を解決するための手段】
【０００７】
本発明の第１の態様である排気装置は、流体の流路を形成するフードと、フードの吹出口と対向する位置にフードと離間して配置される遮音パネルとを備え、遮音パネルは、音源側に配設される板状の金属製吸音材と、金属製吸音材の背面側に空気層を介して金属製吸音材と平行に配設される背後剛壁層とを備えるものである。
【０００８】
本発明の第２の態様である排気装置は、流体の流路を形成するフードと、フードの吹出口と対向する位置にフードと離間して配置される遮音パネルとを備え、遮音パネルは、音源側に配設される板状の金属製吸音材と、金属製吸音材の背面側に積層される難燃性の多孔質体層と、多孔質体層の背面側に積層される背後剛壁層とを備えるものである。
【０００９】
本発明の第３の態様は、第２の態様である排気装置において、多孔質体層は、グラスウール、ロックウールおよびセメント系吸音材の何れかまたはこれらの混合物から成るものである。
【００１０】
本発明の第４の態様は、第１の態様乃至第３の態様の何れかの態様である排気装置において、金属製吸音材は、金属繊維の不織布から成るものである。
【００１１】
本発明の第５の態様は、第１の態様乃至第４の態様の何れかの態様である排気装置において、金属製吸音材は、アルミニウム不織布から成るものである。
【００１２】
本発明の第６の態様は、第１の態様、第３の態様乃至第５の態様の何れかの態様である排気装置において、金属製吸音材および背後剛壁層は、パネル枠部材で一体化されているものである。
【００１３】
本発明の第７の態様は、第２の態様乃至第５の態様の何れかの態様である排気装置において、金属製吸音材、多孔質体層および背後剛壁層は、パネル枠部材で一体化されているものである。
【発明の効果】
【００１４】
本発明の第１の態様乃至第７の態様の排気装置によれば、遮音パネルとして、アルミニウム不織布等の金属製吸音材を使用することで、すなわち、遮音パネルの全ての構成部材を金属等の不燃性の材料で形成することで、フード内に熱を帯びた気流や煤等が排出されても、遮音パネルが損傷し若しくは燃焼する虞がなくなり、また、遮音パネルをフードの近傍に取替自在に配設することで、遮音パネルが経年劣化した場合これを簡単に交換することができる。
【発明を実施するための最良の形態】
【００１５】
以下、本発明の排気装置を適用した好ましい実施の形態例について、図面を参照して説明する。
［第１の実施の形態］
図１は、本発明における排気装置をガスヒートポンプ（ＧＨＰ）の室外機に適用した好ましい実施の形態例を示す説明図である。
【００１６】
同図において、本発明における排気装置は、ガスヒートポンプ（不図示）の室外機１を備えており、この室外機１の頂部には排気口１１が、外壁面には吸気口１２が設けられている。また、室外機１の頂部には後述するフード２が排気口１１を覆うように設けられており、このフード２の近傍にはフード２から所定長離間した位置に架台４を介して遮音パネル３が設けられている。なお、フード２は寒冷地においては防雪カバーとして兼用される。
【００１７】
フード２は、排気等の流体の流路を形成するカバー本体２１を備えており、当該カバー本体は騒音を遮音パネル３に集音することができるようなもので構成されている。具体的には、山形状の斜面を有する屋根部材２１ａと、屋根部材２１ａの両側縁に対向するように連設された一対の側壁部材２１ｂ、２１ｃとを備えることで、フード本体２１の下面側（室外機１の排気口１１と対向する側）に開放部（不図示）が、外壁面（遮音パネル３と対向する側）に吹出口２２が形成されている。
【００１８】
また、カバー本体２１は、騒音をカバー本体２１の外側に透過させないような材料で形成されている。具体的には、屋根部材２１ａおよび一対の側壁部材２１ｂ、２１ｃは、厚さが１．６ｍｍ以上の鉄板、若しくは当該鉄板と同等の面密度を持つ剛体、例えば厚さが５ｍｍ程度のアルミニュウム板で形成されている。なお、屋根部材２１ａおよび一対の側壁部材２１ｂ、２１ｃは一体物で形成されている。
【００１９】
遮音パネル３は、図２に示すように、音源側にすなわちフード２の吹出口２２と対向する側に吹出口２２の開口面と平行に配設される板状の金属製吸音材３１と、金属製吸音材３１の音源側と反対の側（以下「背面側」という。）に空気層３２を介して金属製吸音材３１と平行に配設される背後剛壁層３３とを備えており、これらの金属製吸音材３１および背後剛壁層３３はパネル枠部材５で一体化されている。
【００２０】
金属製吸音材１は、厚さが１ｍｍ程度の金属繊維の不織布で構成されている。ここで、金属繊維の不織布としては、有機バインダーを使用せずにアルミニウム繊維を用いたアルミニウム不織布を使用することが好ましい。このような構成のアルミニウム不織布を使用することで、金属製吸音材１の耐食性や耐候性を向上させることができ、また従来の吸音材よりも吸音特性を向上させることができ、更には有機バインダーが存在しないことから燃焼時に有毒ガスが発生する虞がなくなるからである。
【００２１】
背後剛壁層３３は、少なくとも１.６ｍｍの厚さを有する金属板、例えば厚さが２.０ｍｍの鉄板で構成されている。ここで、背後剛壁層３３として少なくとも１.６ｍｍの厚さを有する金属板を用いるのは厚さが１.６ｍｍ未満の金属板では十分な吸音効果を得ることができないからである。
【００２２】
次に、このような構成の金属製吸音材３１および背後剛壁層３３をパネル枠部材５で一体化する方法について説明する。
【００２３】
先ず、パネルパネル枠部材５は、図３に示すように、例えばＵ字状の枠本体５１と、枠本体５１の上部に冠着される蓋体５２とを備えており、これらの枠本体５１および蓋体５２は例えばステンレス若しくは塗装した鋼材などの金属板をコ字状に折曲したもので構成されている。ここで、枠本体５１の縦寸法および横寸法は遮音パネル３の縦寸法および横寸法と略等しくされ、また、遮音パネル３の厚さは枠本体５１の溝５１ａの幅と略同等、若しくはこれより若干短くされている。
【００２４】
このような構成の枠本体５１に、金属製吸音材３１および背後剛壁層３３を所定長離間させて装着し、枠本体５１の上部に蓋体５２を冠着することで、図２に示すように、金属製吸音材３１および背後剛壁層３３を一体化した本発明の遮音パネル３が得られる。この場合、必要に応じて、金属製吸音材３１と背後剛壁層３３間の例えば４隅にスペーサ３４を介挿することが好ましい。
【００２５】
このような構成の遮音パネル３は、フード本体２１の吹出口２２と対向する位置に金属製吸音材３１を吹出口２２側に向けてフード本体２１から所定長離間した位置に配置されることで、所定の吸音効果が得られる。具体的には、フード本体２１の吹出口２２の開口面から４５０〜９００ｍｍ程度離間した位置に、吹出口２２から吐出する熱を帯びた排気等が遮音パネル３に効率よく当たるように、すなわち遮音パネル３の平面がフード本体２１の吹出口２２の開口面と平行になるように配設されている。
【００２６】
図４は、遮音パネル３の設置の有無によるパワーレベルの比較を示している。ここで、比較例１は、フード本体２１の吹出口２２に遮音パネル３を設置しない、いわゆる通常のエアコンを定格で運転した場合の所定の測定点Ｐ（図１参照）、すなわち、図１に示すように、室外機１から１ｍ前方に離間した位置でかつ床面から１ｍ上方に離間した位置におけるパワーレベルを示しており、比較例２は、シリコーンゴムの皮膜を有する低周波吸音材（厚さが０．５ｍｍのシリコーンゴムから成る皮膜の音源側に厚さが２５ｍｍのグラスウールから成る第１の多孔質体層を積層し、背面側に厚さが７５ｍｍのグラスウールから成る第２の多孔質体層を積層した低周波吸音材）の音源側に開口率が４０〜７０％程度で厚さが２ｍｍのステンレス製のエキスパンドメタルから成る保護層を配設し、背面側に厚さが２ｍｍの鉄板を積層したパネル状の吸音体のパワーレベルを示している。また、実施例は、厚さが１ｍｍのアルミニウム不織布から成る金属製不織布３１の背面側に厚さ（間隔）が１００ｍｍの背後空気層３２を介して厚さが２ｍｍの鉄板から成る背後剛壁層３３を配設した遮音パネル３のパワーレベルを示している。なお、騒音レベルはＪＩＳＡ１４０９：１９９８「残響室法吸音率の測定方法」により測定した。
【００２７】
同図より、本実施例における排気装置は、比較例１に対して、居室内の卓越騒音である２００Ｈｚの吸音特性でおよそ５ｄＢの優位差が認められ、また比較例２に対して、３ｄＢの優位差が認められ、本発明における排気装置が騒音防止対策として非常に有効であることが判る。また、比較例２における吸音パネルの耐熱温度が１００℃であるのに対し、実施例における遮音パネル３が３００℃であり、耐熱特性も優れていることが分かる。
【００２８】
以上のように、本発明の排気装置によれば、遮音パネルとして、アルミニウム不織布等の金属製吸音材を使用することで、フード内に熱を帯びた気流や煤等が排出されても、遮音パネルが損傷し若しくは燃焼する虞がなくなり、またフード２と別体の遮音パネル３をフード２の近傍に取替自在に配設することで、遮音パネル３が経年劣化した場合、これを簡単に交換することができ、さらに遮音パネル３を構成する金属性吸音材には、有機バインダーが使用されていないので、燃焼時に有毒ガスが発生する虞がなく、環境保全対策を施した排気装置を提供することができる。
［実施例２］
図５は本発明における遮音パネルの他の実施例を示している。なお、同図において、図２と共通する部分に同一の符号を付して詳細な説明を省略する。
【００２９】
図５において、この実施例においては、図２に示す背後空気層３２に代えて多孔質体層３４が金属製吸音材３１と背後剛壁層３３間に介装されている。
【００３０】
ここで、多孔質体層３４は、難燃性を有する材料で形成されている。具体的には、グラスウール、ロックウール、セラミックやガラス発泡体を使用したセメント系の多孔質板から成るセメント系吸音材の何れかまたはこれらの混合物から成るもので形成されている。なお、多孔質体層３５の厚さは１０〜２５ｍｍ程度とされている。
【００３１】
この実施例においても、遮音パネルが損傷し若しくは燃焼する虞がなくなり、遮音パネルが経年劣化した場合、これを簡単に交換することができる。
【産業上の利用可能性】
【００３２】
本発明は、特許請求の範囲内で、次のように、変更、修正を加えることができる。
【００３３】
第１に、前述の実施例においては、背後剛壁層として、厚さ１.６ｍｍの鋼板を使用した場合について述べているが、背後剛壁層は当該鉄板と同等の質量を有する板材、例えば厚さが５.０ｍｍ程度のアルミニウム板を使用してもよい。
【００３４】
第２に、前述の実施例においては、ガスヒートポンプ（ＧＨＰ）の室外機や家庭用エアコンの室外機に適用した場合について述べているが、レンジ等の調理設備の上方に設置される排気装置に適用してもよい。
【図面の簡単な説明】
【００３５】
【図１】本発明の第１の実施例における排気装置の斜視図。
【図２】本発明の第１の実施例における遮音パネルの断面図。
【図３】本発明の第１の実施例における遮音パネルの組立状況を示す説明図。
【図４】本発明の第１の実施例における排気装置のパワーレベルと周波数との関係を示す説明図。
【図５】本発明の第２の実施例における遮音パネルの断面図。
【符号の説明】
【００３６】
１・・・室外機
２・・・フード
２１・・・フード本体
２２・・・吹出口
３・・・遮音パネル
３１・・・金属製吸音材
３２・・・背後空気層
３３・・・背後剛壁層
【図１】
2008064344.tif 000003
【図２】
2008064344.tif 000004
【図３】
2008064344.tif 000005
【図４】
2008064344.tif 000006
【図５】
2008064344.tif 000007